(57)【要約】【課題】不透明領域の遮光層によって多様な白色系色意匠の安定的表現及び効率的製造を可能にする表示装置用前面保護板とこれを備えた表示装置とする。【解決手段】表示装置用前面保護板１０は透光性基板１に遮光層２として白色系樹脂層２ｗと色調整層２ａとを重ねて、これらの色が合わさった色を遮光層の色とする。遮光性に乏しく厚みが厚く製造条件がシビアな白色系樹脂層の色は白色に固定し、白色系樹脂層よりも厚みの薄い色調整層の色変更で多様な色に対応させ製造時の条件出しを色調整層に集中させることで、製造が効率化し、色が安定化する。さらに、遮光性を補うために、裏打ち層２ｂを設けてもよい。裏打ち層は色調整層と兼用してもよい。さらに、タッチパネル用の透明電極や配線などを設けてタッチパネル一体型の表示装置用前面保護板としてもよい。表示装置はこの表示装置用前面保護板を用いて構成する。【選択図】図１
2015014733.tif 000002
【特許請求の範囲】
【請求項１】
中央の表示用領域と、この表示用領域の外周部に設けられ可視光を遮蔽する不透明領域とを有する表示装置用前面保護板であって、
透光性基板と、
前記透光性基板の第１面とこの第１面とは反対側の第２面とのうちのいずれか一方の面において前記不透明領域に設けられた遮光層とを有し、
前記遮光層は、少なくとも白色顔料を樹脂バインダ中に含む白色系樹脂層を有することで白色系の色を呈し、
前記遮光層は、さらに前記白色系樹脂層に重なるように、前記白色系樹脂層の色とは異なる色の色調整層を有する、
表示装置用前面保護板。
【請求項２】
前記遮光層は、前記白色系樹脂層の面上に当該白色系樹脂層よりも遮光性が大きい裏打ち層を有し、
当該裏打ち層と前記白色系樹脂層との間に前記色調整層を有する、
請求項１に記載の表示装置用前面保護板。
【請求項３】
前記遮光層は、前記白色系樹脂層の面上に当該白色系樹脂層よりも遮光性が大きい裏打ち層を有し、
当該裏打ち層が前記色調整層を兼用する、
請求項１に記載の表示装置用前面保護板。
【請求項４】
前記透光性基板の前記一方の面上に、前記表示用領域から前記不透明領域の前記遮光層の面上に延びるように設けられたタッチパネル用の透明電極と、
前記遮光層の面上に設けられ、前記透明電極に電気的に接続された不透明な配線と、
を有する、
請求項１〜３のいずれかに記載の表示装置用前面保護板。
【請求項５】
表示パネルと、
前記表示パネルからの表示光が出光する側である表側に配置された請求項１〜４のいずれかに記載の表示装置用前面保護板と、
を少なくとも備える、
表示装置。
【発明の詳細な説明】
【技術分野】
【０００１】
本発明は、表示装置用前面保護板と、これを備えた表示装置に関する。
【背景技術】
【０００２】
近年、スマートフォン、タブレットＰＣ（パーソナルコンピュータ）など各種表示装置において、表示パネルと組み合わせて使用されるタッチパネルが急速に普及してきている。
【０００３】
図１２は、タッチパネル２０を備えた表示装置２００の一例を模式的に示す図である。図１２（ａ）は分解平面図であり、図１２（ｂ）の断面図は図１２（ａ）の分解平面図中で、Ｃ−Ｃ線で表示装置用前面保護板４０を切断したときの表示装置用前面保護板４０のみの断面図である。タッチパネル２０は、表示パネル３０に対して、表示パネル３０からの表示光の出光側である表側（紙面で手前側）に配置される。さらに、タッチパネル２０の保護の為に、前記表示パネル３０からの表示光がタッチパネル２０を通過して出光する側であるタッチパネル２０の表側に、表示装置用前面保護板４０が配置される（特許文献１、特許文献２、特許文献３）。
【０００４】
表示装置用前面保護板４０は、通常、透光性基板４１に対して、図１２で例示する様に、その表示用領域Ａ１の外周部が不透明領域Ａ２となっており、不透明領域Ａ２には遮光層４２が形成されている。遮光層４２は、通常、着色顔料を樹脂バインダ中に含む着色樹脂層として形成され、また、遮光層４２の色は遮光性などの観点から黒色とするのが普通である。この不透明領域Ａ２によって、表示装置用前面保護板４０の裏側に配置されるタッチパネル２０が、その外周部に有する配線６やコネクタ等が見えて外観を損ねないようにしている。また、不透明領域Ａ２中には、製品ロゴなどの可視情報８、赤外透過窓や装置の状態を示す通知窓などの窓も適宜設けられ、不透明領域Ａ２は表示装置用前面保護板４０の加飾部にもなっている。
【０００５】
表示装置用前面保護板４０、タッチパネル２０及び表示パネル３０の各部材は、これらの部材間に空隙を設けずに樹脂層で埋めて、密着積層することもある。こうすることによって、界面反射による表示光の損失や外光反射を減らして表示を見易くすることができるからである。
また、薄型化、軽量化、部品点数削減などに対する要求に応えるべく、表示装置用前面保護板４０とタッチパネル２０との一体化、或いはタッチパネル２０と表示パネル３０との一体化などの各種一体化の形態が、提案され実用化も始まっている（特許文献１、特許文献２）。
【先行技術文献】
【特許文献】
【０００６】
【特許文献１】特開２００９−１９３５８７号公報
【特許文献２】実用新案登録第３１５３９７１号公報
【特許文献３】特開２００８−２６６４７３号公報（図２）
【発明の概要】
【発明が解決しようとする課題】
【０００７】
しかしながら、最近ではデザイン性など商品価値をより高めるために、遮光層４２の色には黒以外の色も求められるようになってきており、例えば、純白色、アイボリー色などの白色系の色意匠も見られるようになってきた。
白色系の色は、遮光層４２を構成する着色樹脂層に用いる着色顔料について、カーボンブラック等の黒色顔料に替えて、白色顔料を主体に、これに更に白色系の色の色みに応じた有彩色の着色顔料を併用すれば、一応表現できる。したがって、着色樹脂層を形成するための着色樹脂組成物として、白色顔料を主体に白色顔料以外の着色顔料を併用した複数の着色顔料と樹脂バインダとを含む着色樹脂組成物を、遮光層４２の色に応じて、調整すればよいことになる。
【０００８】
ただ、色意匠が白色系ではなく例えば青色など濃い色であれば、形成された遮光層４２が呈する色が、目標とした色に対して多少ずれてしまっても目立ちにくいが、白色系の色の場合は色ズレが目立ち易い。このため、白色系の色を安定的に表現するためには、表現する色の数だけ必要となる着色樹脂組成物の色毎に、塗工、印刷、加熱乾燥、露光、現像、熱処理、樹脂硬化など、必要となる各種製造工程について、その処理条件も、事前に条件出ししておくことが必要となる。とりわけ、パターン精度に優れるなどの点で、樹脂バインダに感光性樹脂を用いてフォトリソグラフィ法によって着色樹脂層を形成する場合は、露光、現像、熱処理などの工程も必要となるため、なおさらであった。
以上のように、着色樹脂層を用いた遮光層４２で白色系の色意匠を安定的に表現し、しかも多様な色の白色系の色意匠のものを効率よく製造できることが望まれた。
【０００９】
すなわち、本発明の課題は、不透明領域の遮光層によって多様な色の白色系の色意匠を安定的に表現し、しかも多様な色の白色系の色意匠のものを効率よく製造できる構成の表示装置用前面保護板と、これを備えた表示装置を提供することである。
【課題を解決するための手段】
【００１０】
本発明では、次の様な構成の表示装置用前面保護板及び表示装置とした。
（１）中央の表示用領域と、この表示用領域の外周部に設けられ可視光を遮蔽する不透明領域とを有する表示装置用前面保護板であって、
透光性基板と、
前記透光性基板の第１面とこの第１面とは反対側の第２面とのうちのいずれか一方の面において前記不透明領域に設けられた遮光層とを有し、
前記遮光層は、少なくとも白色顔料を樹脂バインダ中に含む白色系樹脂層を有することで白色系の色を呈し、
前記遮光層は、さらに前記白色系樹脂層に重なるように、前記白色系樹脂層の色とは異なる色の色調整層を有する、
表示装置用前面保護板。
（２）前記遮光層は、前記白色系樹脂層の面上に当該白色系樹脂層よりも遮光性が大きい裏打ち層を有し、
当該裏打ち層と前記白色系樹脂層との間に前記色調整層を有する、
前記（１）の表示装置用前面保護板。
（３）前記遮光層は、前記白色系樹脂層の面上に当該白色系樹脂層よりも遮光性が大きい裏打ち層を有し、
当該裏打ち層が前記色調整層を兼用する、
前記（１）の表示装置用前面保護板。
（４）前記透光性基板の前記一方の面上に、前記表示用領域から前記不透明領域の前記遮光層の面上に延びるように設けられたタッチパネル用の透明電極と、
前記遮光層の面上に設けられ、前記透明電極に電気的に接続された不透明な配線と、
を有する、
前記（１）〜（３）のいずれかの表示装置用前面保護板。
（５）表示パネルと、
前記表示パネルからの表示光が出光する側である表側に配置された前記（１）〜（４）のいずれかの表示装置用前面保護板と、
を少なくとも備える、
表示装置。
【発明の効果】
【００１１】
本発明によれば、不透明領域の遮光層によって多様な色の白色系の色意匠を安定的に表現し、しかも多様な色の白色系の色意匠のものを効率よく製造できる構成の表示装置用前面保護板と、これを備えた表示装置を提供することができる。
【図面の簡単な説明】
【００１２】
【図１】本発明による表示装置用前面保護板の一実施形態を説明する平面図（ａ）と、平面図中Ｃ−Ｃ線での断面図（ｂ）。
【図２】本発明による表示装置用前面保護板の変形例（白色系樹脂層が複層構成）を説明する平面図。
【図３】本発明による表示装置用前面保護板の変形形態（裏打ち層が色調整層を兼用）を説明する平面図。
【図４】本発明による表示装置用前面保護板の変形形態（遮光層上に絶縁層）の一例を説明する平面図。
【図５】本発明による表示装置用前面保護板の別の実施形態（タッチパネル機能一体化）を説明する平面図。
【図６】図５の実施形態を説明する部分拡大断面図。
【図７】図５の透明電極の交差部の一例を説明する断面図。
【図８】本発明による表示装置用前面保護板の変形形態（オーバーコート層）の一例を説明する断面図。
【図９】本発明による表示装置の一実施形態（タッチパネル透明電極一体化）を模式的に説明する断面図。
【図１０】本発明による表示装置の別の実施形態（タッチパネル透明電極一部一体化）を模式的に説明する断面図。
【図１１】本発明による表示装置の別の実施形態（タッチパネル別体）を模式的に説明する断面図。
【図１２】従来の表示装置用前面保護板と表示装置の一例を示す分解平面図（ａ）と、分解平面図中Ｃ−Ｃ線での表示装置用前面保護板の断面図（ｂ）。
【発明を実施するための形態】
【００１３】
以下、本発明の実施形態について図面を参照しながら説明する。なお、図面は概念図であり、説明上の都合に応じて適宜、構成要素の縮尺関係、縦横比等は誇張されていることがある。
【００１４】
〔Ａ〕用語の定義：
以下に、本発明において用いる主要な用語について、その定義をここで説明しておく。
【００１５】
「表側」とは、表示装置用前面保護板或いはその他の構成要素において、表示装置用前面保護板を表示パネルと組み合わせて使用したときに、表示パネルからの表示光が出光する側であり、表示パネルの表示を観察する側を意味する。
「裏側」とは、前記「表側」とは反対側を意味し、表示装置用前面保護板或いはその他の構成要素において、表示パネルの表示光が入光する側を意味する。
「第１面」と「第２面」とは、何れかが前記「表側」となり、何れの面が前記「表側」となるかは任意である。
「一方の面」と、その反対側の面である「他方の面」とは、何れかが前記「表側」となり、何れの面が前記「表側」となるかは、本来は任意である。本発明においては、透光性基板に対して、遮光層を必ず有する側の面を「一方の面」と呼ぶことにしており、この一方の面が裏側として使用される面となる。また、本発明においては、「表側」となる面を「第１面」とし、「裏側」となる面を「第２面」として説明する。よって、遮光層を必ず有する「一方の面」乃至は「裏側」の面は「第２面」となり、「他方の面」乃至は「表側」の面は「第１面」となる。
「白色系の色」の意味については、後述遮光層の欄で説明する。
【００１６】
〔Ｂ〕表示装置用前面保護板：
以下、本発明による表示装置用前面保護板を説明する。
【００１７】
《第１の実施形態》
本発明による表示装置用前面保護板の第１の実施形態を、図１を参照して説明する。図１（ａ）は平面図、図１（ｂ）は断面図である。
【００１８】
図１に示す実施形態の表示装置用前面保護板１０は、図１（ａ）の平面図で示すように、中央の表示用領域Ａ１と、この表示用領域Ａ１の外周部に設けられ可視光を遮蔽する不透明領域Ａ２とを有する。図１（ｂ）の断面図は、図１（ａ）の平面図にて、Ｃ−Ｃ線で切断したときの断面図である。図１（ｂ）の断面図で示すように、本実施形態における表示装置用前面保護板１０は、透光性基板１と、この透光性基板１の第１面Ｓ１とこの第１面Ｓ１とは反対側の第２面Ｓ２との２面のうちの、第２面Ｓ２において、前記不透明領域Ａ２に設けられた遮光層２とを有する。
【００１９】
本実施形態における表示装置用前面保護板１０は、遮光層２が透光性基板１の第２面Ｓ２上に設けられ、この第２面Ｓ２を裏側にして、言い換えると、第２面Ｓ２は、図１（ｂ）で二点差線の想像線で示すタッチパネル２０や表示パネル３０側に向けて、第１面Ｓ１は表示パネル３０の表示の観察者Ｖ側に向けて、用いられることを想定した形態である。
【００２０】
遮光層２は、本実施形態においては、透光性基板１側から順に、白色系樹脂層２ｗと、色調整層２ａと、裏打ち層２ｂとから構成されている。
【００２１】
白色系樹脂層２ｗは、本実施形態においては、白色顔料を樹脂バインダ中に含み、白色を呈する。白色系樹脂層２ｗは、本実施形態においては、白色顔料以外の、有彩色に着色するための着色顔料、及び明度を落とす為の黒色顔料は含んでいない。白色系樹脂層２ｗは、本実施形態においては、反射率を上げて明度を高くし、白色系の色意匠の基本色としての白を担う層として形成されている。
色調整層２ａは、本実施形態においては、青色顔料を樹脂バインダ中に含み、青色を呈する。
裏打ち層２ｂは、基本的に、白色系樹脂層２ｗの透光性基板１から遠い側、つまり裏側に形成され、且つ、白色系樹脂層２ｗよりも遮光性が大きい層である。裏打ち層２ｂは、本実施形態においては、黒色顔料を樹脂バインダ中に含み、黒色を呈する。
本発明においては、裏打ち層２ｂは、白色系樹脂層２ｗと色調整層２ａとで遮光性が足りていれば、省略することもできる。
【００２２】
本実施形態においては、このような構成の遮光層２とすることで、表示装置用前面保護板１０に表側から入射した光が、白色系樹脂層２ｗに進入し、さらに青色を呈する色調整層２ａまで到達し、そこで一部反射した青色の光が、再度白色系樹脂層２ｗに戻って進入して、表示装置用前面保護板１０の表側から出射することで、白色系樹脂層２ｗの色に色調整層２ａの色が加わり、遮光層２全体としては白色系樹脂層２ｗの色と色調整層２ａの色とが合わさった色を呈することになる。本実施形態においては、白色系の色として、極薄く青みを帯びた白色が表現される。
しかも、白色系の色表現を、白色系樹脂層２ｗのみでなく、白色系樹脂層２ｗと色調整層２ａとの両方で行う結果、色調整層２ａが１層増えて製造工程は増えるが、多様の色の白色系の色意匠に対応するときに、厚みが厚くなる傾向があり製造条件がシビアな白色系樹脂層２ｗは同じ組成のもので対応し、白色系樹脂層２ｗよりは厚みを薄くできる色調整層２ａのみ表現する色に応じた組成のものについて製造条件を設定して対応できるので、多様な色に対して効率的な製造が可能となり、安定的な色表現が可能となる。
さらに、本実施形態においては、裏打ち層２ｂによって、遮光層２の遮光性も確保される。
【００２３】
以上のように、本実施形態の表示装置用前面保護板１０においては、不透明領域Ａ２の遮光層２によって多様な色の白色系の色意匠を安定的に表現でき、しかも多様な色の白色系の色意匠のものを効率よく製造できるという、効果が得られる。
【００２４】
以下、構成要素毎にさらに詳述する。
【００２５】
〔表示用領域Ａ１と不透明領域Ａ２〕
表示装置用前面保護板１０は、図１（ａ）の平面図で例示したように、中央に表示用領域Ａ１を有し、表示用領域Ａ１の外周部に、可視光を遮蔽する不透明領域Ａ２を有する。表示用領域Ａ１は、図１（ｂ）の断面図において、二点鎖線の想像線で示す表示パネル３０に適用したときに、表示装置用前面保護板１０を透して、表示パネル３０が表示する内容を表示できる領域である。不透明領域Ａ２は、表示パネル３０が外周部に有する配線、コネクタなどを隠したり、或いは、図１（ｂ）の断面図において、二点鎖線の想像線で示すタッチパネル２０に適用したときに、タッチパネル２０がその外周部に有する不透明な配線、コネクタなどを隠したりする為の領域である。また、不透明領域Ａ２は、それが表現する色、適宜設けるロゴやマークなどの可視情報８によって加飾部にもなる領域である。
【００２６】
〔透光性基板１〕
透光性基板１は、少なくとも可視光線に対して透明で、表示装置用前面保護板１０を適用する表示パネルに対して、表面を保護し得る機械強度を有するものであれば、特に制限はなく、代表的には、例えばソーダ石灰ガラス、ホウケイ酸ガラス、石英ガラス、アルミノケイ酸ガラスなどのガラス板を用いることができる。とくに、ガラス板として、化学強化ガラスはフロートガラスに比べて機械的強度に優れ、その分薄くできる点で好ましい。化学強化ガラスは、典型的には、ガラスの表面近傍について、ナトリウムをカリウムに代えるなどイオン種を一部交換することで、化学的な方法によって機械的物性を強化したガラスである。
透光性基板１には、樹脂を用いることも可能である。例えば、樹脂としては、アクリル系樹脂、ポリカーボネート系樹脂、シクロオレフィン系樹脂、ポリエステル系樹脂などを用いることができる。透光性基板１に樹脂を用いることで、軽量にできる上、可撓性を持たせることも可能となる。
透光性基板１には、ガラスと樹脂との積層体を用いることもできる。透光性基板１にガラスと樹脂との積層体を用いることで、ガラスの特性と樹脂の特性の両方を持たせることもできる。
【００２７】
〔遮光層２〕
図１に例示する実施形態における遮光層２は、透光性基板１のタッチパネル２０及び表示パネル３０側となる裏側の第２面Ｓ２の不透明領域Ａ２の部分に形成されている。遮光層２は、不透明領域Ａ２中の全領域に設けられている。逆に言えば、この遮光層２によって、不透明領域Ａ２が不透明な領域として形成される。
本実施形態においては、遮光層２は、透光性基板１の第１面Ｓ１と第２面Ｓ２のうちの一方の面として第２面Ｓ２の面の、不透明領域Ａ２に形成される。
遮光層２は、タッチパネル２０がその中央の位置検知領域に対して、その外周部に有する配線や制御回路、或いは表示パネル３０がその中央の表示領域に対して、その外周部に有する配線や制御回路などを隠して、目視不能にして、タッチパネル２０や表示パネル３０を用いた表示装置において、外観を損なわないようにする機能を有する。
【００２８】
遮光層２の遮光性は、要求仕様、表現色にもよるが、透過率で言えば大きくても１％以下（光学濃度ＯＤ２．０以上）、好ましくは透過率で０．１％以下（光学濃度ＯＤ３．０以上）、より好ましくは透過率で０．０１％以下（光学濃度ＯＤ４．０以上）が望ましい。
【００２９】
遮光層２は、不要な部品などを隠すための遮光性と共に、表示装置用前面保護板１０の外観意匠を向上させる加飾層としての機能も有する。
遮光層２は、本発明においては、白色系の色意匠を表現する。本実施形態においては、遮光層２は、白色系の色意匠として極薄く青みを帯びた白色系の色（パステルブルーのような色）の色意匠を表現している。
【００３０】
本発明において、遮光層２は、白色系の色、例えば、有彩色の色みを帯びた白色系の色、或いは、無彩色の純白や極薄く灰色がかった白色系の色などを表現する。
本発明においては、遮光層２は、こうした多様な色の白色系の色を安定的に表現し、且つ多様な色の白色系の色意匠のものを効率よく製造できる構成の表示装置用前面保護板１０となるようにするために、白色系樹脂層２ｗ以外にさらに、色調整層２ａも必須の層として有する。
白色系樹脂層２ｗは、本実施形態においては、色調整層２ａに対してその表側に位置する形態である位置関係であるため、色調整層２ａの色が反映される程度以上のある程度の透明性を有する。こうして、遮光層２が、少なくとも色調整層２ａの色と白色系樹脂層２ｗの色とが合わさった色を呈するようにすることができる。したがって、本実施形態においては、白色系樹脂層２ｗ自体で例えば光学濃度ＯＤ４．０以上の遮光性を有することはない。
【００３１】
以下、白色系の色、白色系樹脂層２ｗ、色調整層２ａ、裏打ち層２ｂについて、説明する。
【００３２】
［白色系の色とは］
本発明において、遮光層２が白色系の色を呈するとは、純粋な白色（純白）以外に、黄みの白である黄白色、アイボリー色、ベージュ色、赤みの白である赤白色（薄いピンク色）、黄みの白である黄白色、青みの白である青白色、緑みの白である緑白色、紫みの白である紫白色、茶色みの白である茶白色、黒みの白である灰色（ライトグレー）、銀色みの白である銀白色、金色みの白である金白色などの、有彩色で白っぽい色、及び無彩色で白っぽい色、も含む。
こうした白色系の色を、数値的に示せば、各種表色系を用いて定義することができる。なかでも慣用的な表色系の１種であるマンセル表色系（ＪＩＳ  Ｚ  ８７２１）によって示せば、本発明において白色系の色とは、マンセル表色系において、明度が８．０以上で、且つ彩度が２．０以下の色であると、定義することができる。白色系の色の色相については、どんな色みでも構わない。
【００３３】
なお、マンセル表色系では、全ての色を、明度と、彩度と、色相の三属性によって表現する。この明度は、マンセル表色系では、最も明るい理想的な白を１０とし、最も暗い理想的な黒を０とする。本発明においては、白色系の色は、明度は小さくても８とし、８．０以上とすることができる。また、マンセル表色系では、彩度は、無彩色を０とし、色が濃くなるほど値か大きくなり、最大値は明度と色相によって変わるが最大で１４である。白色系の色とは、白っぽい色であるので、彩度は最大でも２として、２．０以下とすることができる。
マンセル表色系の前記三属性は、市販の分光測色計、分光光度計などによって測定することができる。
白色系の色の中でも、とりわけ白っぽい色は、マンセル表色系によって表現すれば、明度においては９．０以上の色、彩度においては１．０以下の色であり、さらに白っぽい色は、明度が９．０以上で且つ彩度が１．０以下の色である。
【００３４】
［白色系樹脂層２ｗ］
白色系樹脂層２ｗは、白色系の色を表現する為の着色顔料として少なくとも白色顔料を樹脂バインダ中に含む層として形成される。
本実施形態においては、白色系樹脂層２ｗは、遮光層２で青みを帯びた白色系の色を表現するために、着色顔料として白色顔料を用い、樹脂バインダの樹脂には感光性樹脂を用いる。したがって、本実施形態においては、白色系樹脂層２ｗは、着色顔料として白色顔料を感光性樹脂の硬化物からなる樹脂バインダ中に含む層として形成される。
【００３５】
（厚み）
白色系樹脂層２ｗの厚みは、例えば１〜４０μｍ、通常１０〜３０μｍである。白色系樹脂層２ｗは、黒色系の色の場合に比べて、遮光性が不足気味となることが多く、この点では、白色系樹脂層２ｗの厚みは厚い方が好ましい。ただ、白色系樹脂層２ｗの厚みが厚くなって遮光性が大きくなり過ぎると、白色系樹脂層２ｗの裏側に形成した色調整層２ａの色を遮光層２の色に反映させることができなくなる。したがって、白色系樹脂層２ｗの裏側に形成される色調整層２ａの色が、白色系樹脂層２ｗの色とともに遮光層２の色に反映されるためには、白色系樹脂層２ｗの厚みは、その裏側の色調整層２ａまで、白色系樹脂層２ｗの表側から裏側まで光が到達し、再度、色調整層２ａで反射して白色系樹脂層２ｗの表側から出射し、遮光層２の色に反映される透明性を有する程度の厚み以下に設定される。この結果、遮光層２は、少なくとも色調整層２ａの色と白色系樹脂層２ｗの色とが合わさった色を呈することになる。
【００３６】
ただ、白色系樹脂層２ｗ自体の遮光性が不足し過ぎても、また白色系樹脂層２ｗと色調整層２ａとの両方での遮光性が不足し過ぎても、裏打ち層２ｂを併用すれば、裏打ち層２ｂによって遮光性不足を補うことができ、その分、白色系樹脂層２ｗは薄くすることができる。しかし、白色系樹脂層２ｗの厚みが薄くなり過ぎると、白色系意匠の緻密感が低下することもあるので、遮光層２として表現する色意匠に応じて、白色系樹脂層２ｗの厚みは適宜な厚みに設定される。
本実施形態においては、白色系樹脂層２ｗの厚みは３０μｍとなっている。
【００３７】
（複層構成）
本発明においては、白色系樹脂層２ｗは、例えば、図２で例示するように、２層以上の複層構成であってもよい。同図は２層構成の場合である。本実施形態においても、白色系樹脂層２ｗは２層からなる複層構成となっている。
なお、本発明にかかる図面において、白色系樹脂層２ｗは、明示的に複層構成を例示する図２以外は、全て単層として描いてあるが、これらの図面において白色系樹脂層２ｗは複層構成も含み得る。
白色系樹脂層２ｗを複層構成とすることによって、一回の形成では目的とする厚みを出しにくい場合でも、目的とする厚みを出すことが可能となる。例えば、本実施形態のように、白色系樹脂層２ｗを、白色系感光性樹脂組成物を用いたフォトリソグラフィ法によって形成する場合などである。
【００３８】
本発明においては、白色系樹脂層２ｗ以外の色調整層２ａ、裏打ち層２ｂなどにおいても、複層構成としてもよい。色調整層２ａ及び裏打ち層２ｂの各図中の表記も、白色系樹脂層２ｗと同様であり、図面で単層として描いてあっても、複層構成を含み得る。
【００３９】
（着色顔料：白色顔料など）
白色系樹脂層２ｗに用いる着色顔料は、遮光層２として白色系の色を表現するために、少なくとも白色顔料を用いる。着色顔料としては、さらに、後述色調整層２ａで説明するような、白色顔料以外の有彩色の着色顔料、及び無彩色の黒色顔料などを併用してもよい。着色顔料は、１種単独で用いてもよいし、同種類の色、或いは異なる色の着色顔料を複数種類用いてもよい。
【００４０】
前記白色顔料には、例えば、酸化チタン、シリカ、タルク、カオリン、クレイ、硫酸バリウム、水酸化カルシウム、などを用いることができる。
【００４１】
着色顔料の含有量は、白色系樹脂層２ｗを必須の構成層として含む遮光層２で表現する色にもよるが、着色顔料及び樹脂バインダを含む白色系樹脂層２ｗの全固形分量に対する着色顔料の量の百分率で表した顔料濃度で、例えば、１０〜８０％である。
【００４２】
ただし、本発明においては、本発明の効果、すなわち、多様な白色系色意匠の安定的表現及び効率的製造を、より確実に享受するためには、白色系樹脂層２ｗの色は、遮光層２で表現する白色系の色に応じて、着色顔料の配合を変更することなく一定とすることが好ましい。本発明においては、遮光層２で表現する多様な白色系の色に応じて変更するのは、色調整層２ａの方の着色顔料の配合であり、色調整層２ａの色を変更して対応するのが好ましい。
したがって、白色系樹脂層２ｗに白色顔料と共に白色顔料以外の着色顔料を併用するとしても、白色顔料及び併用される着色顔料の配合（種類及び割合）は、一定としておくことが好ましい。さらに、白色系樹脂層２ｗを形成する為の樹脂バインダも固定しておけば、遮光層２で表現する色が異なっても、白色系樹脂層２ｗを形成するための白色系樹脂組成物は同じものを用いることが可能となり、白色系樹脂層２ｗの形成工程の諸条件は同一となり、効率的且つ安定的な製造が可能となるからである。
また、併用される白色顔料以外の着色顔料の種類及び割合を変化させると、白色系樹脂層２ｗの形成工程の諸条件をその都度設定する必要があり、多様な色の白色系の色意匠に迅速に対応できなくなるからである。
【００４３】
（樹脂バインダ：感光性樹脂など）
樹脂バインダの樹脂としては、基本的には特に制限はないが、耐久性などの点で、硬化性樹脂を用いることが好ましい。樹脂バインダの樹脂として硬化性樹脂を用いる場合、白色系樹脂層２ｗは硬化性樹脂の硬化物からなる層として形成される。
硬化性樹脂としては、紫外線、電子線、可視光線などの活性エネルギー線で硬化可能な感光性樹脂を用いることができる。感光性樹脂を用いることで、精細なパターン形成が可能なフォトリソグラフィ法によって形成することができる。
【００４４】
感光性樹脂としては、例えば、アクリル系樹脂、エポキシ系樹脂、ポリイミド系樹脂、ポリ桂皮酸ビニル系樹脂、環化ゴム、等の反応性ビニル基などの光反応性基を有する感光性樹脂の１種以上を用いることができる。前記アクリル系樹脂では、例えば、アルカリ可溶性樹脂、多官能アクリレート系モノマー、光重合開始剤、その他添加剤などからなる感光性樹脂を樹脂バインダの樹脂成分として用いることができる。
【００４５】
前記アルカリ可溶性樹脂には、ベンジルメタクリレート−メタクリル酸共重合体などのメタクリル酸エステル共重合体、ビスフェノールフルオレン構造を有するエポキシアクリレートなどのカルド樹脂、などを１種以上用いることができる。
前記多官能アクリレート系モノマーには、例えば、トリメチロールプロパントリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、などを１種以上用いることができる。
なお、本発明において、（メタ）アクリレートとは、メタクリレート、又は、アクリレートのいずれかであることを意味する。
【００４６】
前記光重合開始剤には、アルキルフェノン系、オキシムエステル系、トリアジン系、チタネート系などを１種以上用いることができる。
【００４７】
樹脂バインダとしては、この他、溶剤、光増感剤、分散剤、界面活性剤、安定剤、レベリング剤などの、公知の各種添加剤を含むことができる。
【００４８】
（白色系樹脂層２ｗの形成）
白色系樹脂層２ｗの形成は、例えば、着色顔料として少なくとも白色顔料と感光性樹脂の未硬化物を含む白色系感光性樹脂組成物を用いて、フォトリソグラフィ法によって形成することができる。
白色系感光性樹脂組成物を、透光性基板１の面上に塗布する方法は、例えば、スピンコート法、ロールコート法、ダイコート法、スプレーコート法、ビードコート法などの公知の塗工法によることができる。
白色系感光性樹脂組成物を塗布した後は、フォトリソグラフィー技術を用いて露光、現像、ベーク（熱処理）などの所定の工程を経て、パターニングすることにより、透光性基板１の面上の一部に、所定パターンの白色系樹脂層２ｗを形成することができる。
本実施形態においては、白色系樹脂層２ｗはフォトリソグラフィ法によって形成されている。
【００４９】
とくに、本発明においては、例えば、露光、現像、熱処理など１層の形成工程に多数のサブ工程を要し、これらのサブ工程毎の条件出しが必要となるフォトリソグラフィ法のような方法によって層形成する場合には、遮光層２で多様な白色系の色を表現するのに、白色系樹脂層２ｗの色は固定することで、厚みが厚くなりがちで条件がシビアな白色系樹脂層２ｗについては１色分の条件を固定的に採用できるため、製造がより効率的になり、また品質的にも安定化し、安定的に白色系の色を表現できるようになる。
また、白色系の色は遮光性が出しにくく、このため白色系樹脂層２ｗの厚みは黒色に比べて例えば１０μｍ以上と厚くすることが多く、その輪郭部分での段差を通って透明電極などの導体形成時の断線にも注意する必要があり、この点でも、とりわけ白色系の色では条件出しが重要であった。
このため、フォトリソグラフィ法によって形成された白色系樹脂層２ｗの場合は、本発明による多様な白色系色意匠の安定的表現及び効率的製造という効果がより顕著に発揮され得る。
【００５０】
なお、本発明においては、白色系樹脂層２ｗの形成は、フォトリソグラフィ法以外の方法、例えば、スクリーン印刷、インクジェット印刷などの印刷法でもよく、これらの形成法による場合でも、本発明による効果は得られる。
【００５１】
［色調整層２ａ］
色調整層２ａは、白色系樹脂層２ｗが呈する色とは異なる色を呈する層であり、且つ白色系樹脂層２ｗと重なるような位置に形成される層である。
こうした色調整層２ａによって、遮光層２が呈する色を、少なくとも白色系樹脂層２ｗと色調整層２ａとの色が合わさった色とすることができる。遮光層２が呈する色が少なくとも白色系樹脂層２ｗと色調整層２ａとの色が合わさった色となるために、本発明においては、遮光層２を構成する白色系樹脂層２ｗと色調整層２ａとは、白色系樹脂層２ｗの色と色調整層２ａの色とが合わさった色を呈するようになる層として形成される。この点に関して更に具体的に言えば、本実施形態においては、色調整層２ａは、白色系樹脂層２ｗに重なるような位置として、白色系樹脂層２ｗの裏側に形成されている。したがって、白色系樹脂層２ｗの裏側に色調整層２ａが位置する形態においては、色調整層２ａの表側に位置する白色系樹脂層２ｗは、色調整層２ａの色が遮光層２の色に反映される程度以上の透明性を有する層として形成されている。
【００５２】
一方、色調整層２ａは、本実施形態においては、白色系樹脂層２ｗの裏側に形成されているから、さらに色調整層２ａの裏側に形成される層の色（例えば後述する金属性反射層）も反映させないかぎり、色調整層２ａの色が遮光層２の色に反映されるためには、色調整層２ａは不透明でも透明でもかまわない。ただし、本実施形態においては、色調整層２ａは着色顔料の濃度の点から、その結果として、透明な層として形成されている。
【００５３】
（着色顔料）
色調整層２ａに用いる着色顔料は、特に制限はない。着色顔料には、例えば、赤色顔料、黄色顔料、青色顔料、緑色顔料及び紫色顔料などの有彩色の着色顔料、並びに白色顔料及び黒色顔料などの無彩色の着色顔料を用いることができる。着色顔料は、１種単独で用いてもよいし、同種類の色、或いは異なる色の着色顔料を複数種類用いてもよい。
【００５４】
前記赤色顔料には、例えば、ジケトピロロピロール系、アントラキノン系、ペリレン系などの赤色顔料を用いることができ、前記黄色顔料には、例えば、イソインドリン系、アントラキノン系などの黄色顔料を用いることができ、前記青色顔料には、例えば、銅フタロシアニン系、アントラキノン系などの青色顔料を用いることができ、前記緑色顔料には、例えば、フタロシアニン系、イソインドリン系などの緑色顔料を用いることができ、前記紫色顔料には、キナクリドン系の紫色顔料を用いることができる。
前記白色顔料には、例えば、酸化チタン、シリカ、タルク、カオリン、クレイ、硫酸バリウム、水酸化カルシウム、などを用いることができる。
前記黒色顔料には、例えば、チタンブラック（低次酸化チタン、酸窒化チタンなど）、カーボンブラックなどを用いることができる。
【００５５】
着色顔料の含有量は、色調整層２ａを必須の構成層として含む遮光層２で表現する色にもよるが、着色顔料及び樹脂バインダを含む色調整層２ａの全固形分量に対する着色顔料の量の百分率で表した顔料濃度で、例えば、１０〜８０％である。
【００５６】
（色調整層２ａと白色系樹脂層２ｗの重なりとその応用）
色調整層２ａと白色系樹脂層２ｗとの重なりは、遮光層２が形成される透光性基板１の一方の面（本実施形態においては、第２面Ｓ２）に対して垂直な方向から遮光層２を観察したときに、色調整層２ａと白色系樹脂層２ｗのそれぞれのパターンの重なりを意味する。換言すると、それぞれの平面視パターンの重なりを意味する。
【００５７】
本実施形態においては、色調整層２ａと白色系樹脂層２ｗとの位置合わせ精度に対するマージン設定などによるパターン輪郭部分の多少の不一致は無視すれば、色調整層２ａと白色系樹脂層２ｗとは同一のパターンで形成されている。したがって、白色系樹脂層２ｗの全域の色が色調整層２ａの色で調整（「調整」は「修飾」と言ってもよい）されている。このように、本発明においては、白色系樹脂層２ｗがその全域で色調整層２ａの色で調整されていることを基本とするが、白色系樹脂層２ｗがその一部では色調整層２ａの色で調整されていなくてもよい。例えば、後述する可視情報８の形成を、色調整層２ａが重ならない部分のパターンとして形成することもできる。
【００５８】
本実施形態においては、色調整層２ａは白色系樹脂層２ｗの裏側に位置して互いに重なり合う形態であったが、遮光層２が呈する色を、色調整層２ａの色と白色系樹脂層２ｗの色とが合わさった色とするには、色調整層２ａが白色系樹脂層２ｗの表側に位置していても可能である。本発明においては、このように、色調整層２ａが白色系樹脂層２ｗの表側に位置する形態も含む。もちろん、この場合は、色調整層２ａは不透明であってはならず、白色系樹脂層２ｗの色が反映されて遮光層２として白色系の色が表現される程度の透明性を有する。
また、白色系樹脂層２ｗが複層構成の場合、色調整層２ａは白色系樹脂層２ｗの間に位置していてもよい。例えば、図２で例示した２層構成の場合、この２層の色調整層２ａの間に色調整層２ａが挟まれていてもよい。もろちん、こうした構成でも、複層構成の白色系樹脂層２ｗ全体の遮光性と、色調整層２ａの遮光性とでは、遮光層２としての遮光性が不足する場合は、裏打ち層２ｂを設けることが好ましい。
【００５９】
（色調整層２ａが呈する色）
色調整層２ａが呈する色は、白色系樹脂層２ｗが呈する色と異なっていれば、特に制限はない。したがって、色調整層２ａの色は、有彩色でも無彩色でも、或いは、白色系樹脂層２ｗが純白でなければ、色調整層２ａは純白でもよい。
ただし、遮光層２で白色系の色を表現する本発明においては、通常、白色系樹脂層２ｗには着色顔料として白色顔料のみを用いて純白を呈するようになることを目指し、少なくとも、この白色系樹脂層２ｗが呈する色と色調整層２ａが呈する色とが合わさった色が遮光層２で表現する色となるような色に、色調整層２ａが呈する色は設定される。
このため、色調整層２ａが呈する色は、通常、有彩色の色となる。ただ、遮光層２で例えば極明るい灰色など無彩色を表現するときは、色調整層２ａの色としては、黒や灰色などの無彩色もあり得る。
【００６０】
色調整層２ａの色が白色系樹脂層２ｗの色と異なるとは、人の目で異なる色と認識され得る程度以上の色の差があることを意味する。
【００６１】
（色の測定法）
色調整層２ａ、或いは白色系樹脂層２ｗの色の評価は、対象とする層の片面に隣接して黒色の層を配置するなど層通過後の光が元の進入方向に戻る光反射を防いだ状態として、もう一方の方から観察したときの色を意味する。層通過後の光反射を防ぐのは、もしも仮に、光反射性の層があると、その光反射の光強度やスペクトル分布によって明度や色相が変化してしまうからである。なお、色の測定には、市販の測色計や分光光度計を用いることができる。
【００６２】
（補色関係とする設定）
白色系樹脂層２ｗは、その色が黒色や青色などの濃い色と異なり、白色系の色を呈するが故に、例えば製造工程中での２００℃以上の高温などの熱履歴によって、白色系樹脂層２ｗ中の樹脂バインダが変質し、黄変することもある。こうした黄変に対して、色調整層２ａの色を、黄変した色と補色関係にある色（青系の色）とすることによって、例えば黄変した結果、目指すべき無彩色の白色が有彩色の色に変化したものを、無彩色の色（具体的には白色にはならずに明度が落ちた白である灰色）に戻すこともできる。このとき、色調整層２ａの色がより強く反映されるように色濃度を高くするなどすれば、黄変した色を無彩色に戻すのを通りこして、青みを帯びた色にすることもできる。また、目指す色が有彩色で白色系の色の場合でも、黄変して変化した有彩色の色を、元の目指すべき色に近付けることができる。
本発明においては、色調整層２ａは、このような黄変対策としても有効である。とりわけ、感光性樹脂を用いてフォトリソグラフィ法で形成する場合は、樹脂バインダの樹脂成分的にも、また、フォトリソグラフィ法の露光、現像、熱処理などの諸条件によって、白色系樹脂層２ｗが黄変しやすいときには、より効果的である。
【００６３】
以上のことからも判るように、遮光層２が呈する色を色調整層２ａの色と白色系樹脂層２ｗの色とが合わさった色とするとは、色相の変化からみると、遮光層２が呈する色の色相を色調整層２ａの色の色相にすることだけを意味するのではなく、白色系樹脂層２ｗの色の色相と、色調整層２ａの色の色相とが影響し合った色相にすることを意味する。
【００６４】
（厚み）
色調整層２ａの厚みは、白色系樹脂層２ｗの厚みよりも薄くすることが好ましい。また、色調整層２ａの厚みは、通常、着色顔料をバインダ樹脂中に含む層として形成されるときでも、白色系樹脂層２ｗの厚みよりも薄く形成される。これは、色調整層２ａは、白色系樹脂層２ｗの白色系の色の修飾機能を担うため、白色系樹脂層２ｗとは違って、厚みを薄くしやすいからでもある。
色調整層２ａの厚みを、白色系樹脂層２ｗの厚みよりも薄くすることで、多様な白色系の色意匠に、異なる色の色調整層２ａで対応する際に、異なる色の色調整層２ａ毎の形成工程の条件出しを、白色系樹脂層２ｗの場合に比べて厚み増による段差の問題への配慮の必要性が低下するなどの点で、より容易にできるからである。この結果、厚みがより厚い白色系樹脂層２ｗ単独で、多様な白色系の色意匠に対応する場合に比べて、多様な白色系色意匠の安定的表現及び効率的製造が可能となる。
【００６５】
色調整層２ａの厚みは、以上の点で５μｍ以下、好ましくは３μｍ以下、より好ましくは２μｍ以下である。色調整層２ａの厚みは、例えば０．１〜５μｍ、通常０．５〜３μｍで形成される。本実施形態においては、色調整層２ａは厚み１μｍで形成されている。
【００６６】
（遮光性と透明性）
色調整層２ａは、遮光層２の一構成層である点で、遮光性が大きいことが好ましいが、色調整機能が最低限必須の層であり、その遮光性は問わない。したがって、色調整層２ａは、例えば青色など有彩色、或いは灰色など無彩色を呈する透明層であってもよい。色調整層２ａ以外の遮光層２の構成層によって、要求される遮光性を確保できる場合には、色調整層２ａは、透明層とすることができる。色調整層２ａ以外の遮光層２の構成層とは、白色系樹脂層２ｗ、裏打ち層２ｂなどであり、とりわけ裏打ち層２ｂである。
【００６７】
（裏打ち層２ｂとの兼用）
本発明においては、色調整層２ａが白色系樹脂層２ｗの裏側に形成され、且つ色調整層２ａの遮光性を白色系樹脂層２ｗの遮光性よりも大きくして形成されるとき、この色調整層２ａは白色系樹脂層２ｗに対して裏打ち層２ｂと言うこともできる。換言すると、こうした色調整層２ａは、下記する裏打ち層２ｂと兼用することができる。
裏打ち層２ｂを兼用する層としての色調整層２ａは、例えば、黒色顔料及び有彩色の着色顔料を樹脂バインダ中に含み、黒色系の色であるが色相を有する黒色系の色を呈する。ただ、当然であるが、黒色の層は、裏打ち層２ｂを兼用する層としての色調整層２ａではなく、裏打ち層２ｂである。なぜならば、黒色の層からの光反射がなければ、その光反射の光強度やスペクトル分布によって、白色系樹脂層２ｗの明度や色相を調整することができないからである。よって、単なる黒色は色調整層２ａの色から除外されるが、同じ無彩色でも灰色は色調整層２ａの範疇である。
【００６８】
（色調整層２ａの形成）
色調整層２ａの形成は、基本的には特に制限されないが、前記白色系樹脂層２ｗで述べた方法で形成することができる。
本実施形態においては、色調整層２ａは、青色顔料を感光性樹脂の未硬化物を含む着色感光性樹脂組成物を用いて、フォトリソグラフィ法によって形成されている。
【００６９】
本発明においては、色調整層２ａは、着色顔料を樹脂バインダ中に含む層として形成される以外に、白色系樹脂層２ｗの色とは異なる色であれば、樹脂以外の材料、例えば金属乃至は金属化合物などの無機物からなる無機物層であってもよい。
【００７０】
［裏打ち層２ｂ］
裏打ち層２ｂは、白色系樹脂層２ｗよりも遮光性が大きい層である。本発明においては、裏打ち層２ｂは、白色系樹脂層２ｗ及び色調整層２ａのみでは、遮光層２の遮光性が不足するとき、遮光性を補うことができるため、設けることが好ましい。とくに厚みを厚くしないと遮光性を出しにくい白色系の色の場合は、なおさらである。
【００７１】
裏打ち層２ｂとしては、例えば、低反射の暗色層、反射層を用いることができる。暗色層は黒色などを呈し光を吸収することで遮光性を向上させ、反射層は光を反射することで遮光性を向上させる。
【００７２】
暗色層としては、着色顔料として例えば黒色顔料などを樹脂バインダ中に含む黒色樹脂層を用いることができる。着色顔料及び樹脂バインダ、並びに形成法は、前記白色系樹脂層２ｗで説明したものを適宜採用することができる。
本実施形態においては、裏打ち層２ｂは黒色樹脂層として、前記白色系樹脂層２ｗと同様にしてフォトリソグラフィ法によって形成されている。
【００７３】
反射層としては、例えば、銀、アルミニウムなどを含む金属膜などからなる金属性反射層を用いることができる。
裏打ち層２ｂは、白色系樹脂層２ｗ及び色調整層２ａと裏打ち層２ｂとによって、或いは、裏打ち層２ｂが色調整層２ａを兼用する場合は、白色系樹脂層２ｗと裏打ち層２ｂとによって、遮光層２の意匠を表現することもできる。
例えば、白色系樹脂層２ｗ及び色調整層２ａが共にある程度の透明性を有する場合では、裏打ち層２ｂまで到達した光の反射光スペクトルが、遮光層２の色意匠に反映される。この点において、裏打ち層２ｂとして反射層を有する形態では、遮光層２が呈する色には、白色系樹脂層２ｗ及び色調整層２ａの色に加えて、裏打ち層２ｂの色も合わさった色となる。反射層が銀色で反射光スペクトルが一様なときは反射率が向上し明度が増し白さを増強することができる。色とは、色相や彩度以外に明度も含むからである。
【００７４】
裏打ち層２ｂの厚みは、通常、白色系樹脂層２ｗの厚み未満である。裏打ち層２ｂの厚みを白色系樹脂層２ｗの厚み未満とすることで、白色系樹脂層２ｗを含み厚みが厚くなりがちな遮光層２全体の厚みを抑制することができる。
裏打ち層２ｂの厚みは、例えば樹脂層からなる裏打ち層２ｂの場合では黒色ならば０．５〜３μｍ、その他の色例えば灰色（この場合は色調整層２ａと兼用する層と言うこともできる）ならば３〜１５μｍ、金属性反射層からなる裏打ち層２ｂの場合では０．０５〜０．５μｍとすることができる。
【００７５】
（金属性反射層）
本発明においては、裏打ち層２ｂを反射層として形成する場合、裏打ち層２ｂには、金属性反射層を用いることができる。金属性反射層は、黒色樹脂層のような樹脂層に比べて、その光反射特性を活かして、遮光層２の白味を増すことができる利点を有する。以下、金属性反射層について説明する。
【００７６】
金属性反射層は、金属又は金属化合物からなる金属材料を１種以上含み、可視光において金属性反射を示し且つ不透明で白色系樹脂層２ｗよりも大きい遮蔽性を有する層である。金属性反射層としては金属層を用いることができる。
金属性反射層が銀色など無彩色或いは無彩色に類似する場合は、その反射光によって、白色系色意匠の白さを強めることができる。したがって、その分、白色系樹脂層２ｗの厚みを薄くすることもできる。
【００７７】
「金属性反射」とは、金属表面に特有の光反射性のことを意味する。従って、金属であっても、例えば、表面が黒いものは、遮光層２で表現する白色系の色に黒味を付けて薄く灰色がかった白色系の色意匠とすることができる。また、金属性反射が青みなど有彩色となる金属性反射層を用いれば、有彩色の色調整層２ａを兼用することもできる。
【００７８】
金属材料の金属としては、光反射性で金属色を呈し、つまり金属性反射を呈し、可視光において不透明となるものであれば特に制限はない。例えば、銀、金、銅、錫、クロム、プラチナ、アルミニウム、パラジウム、モリブデン、ニッケルなどの金属及びこれらの合金を用いることができる。また、これらの金属化合物としては、金属の酸化物、窒化物、炭化物などを用いることができる。具体例を挙げれば、銀、パラジウム及び銅からなる銀合金（ＡＰＣとも言う）、アルミニウム、クロムなどを用いることができる。
【００７９】
金属性反射層の反射性は、例えば、反射率が２０％以上、反射光によって色の白さを増強する効果が大きいという意味では、反射率は７０％以上がよい。
前記反射率とは、金属性反射層の表面に垂直に入射した入射光強度に対する鏡面反射光強度と拡散反射光強度との合計の反射光強度の比率を百分率で表した数値である。
通常のアルミニウム、銀などの金属性反射層であれば、厚み３００ｎｍ程度で、反射率７０％以上は容易に実現できる。
【００８０】
金属性反射層における不透明とは、全光線透過率で０．１％以下（光学濃度ＯＤ３．０以上）であることが好ましく、より好ましくは全光線透過率で０．０１％以下（光学濃度ＯＤ４．０以上）であるが、最低限、全光線透過率で１％以下（光学濃度ＯＤ２．０以上）であることを意味する。
【００８１】
金属性反射層を、裏打ち層２ｂのパターン形状に形成するには、一旦、金属性反射層を金属層として形成したのち、フォトリソグラフィ法及びエッチング法によりパターンニングすることで所定のパターンに形成することができる。
金属性反射層を金属層として形成するには、公知の膜形成法によることができる。例えば、スパッタ法、蒸着法、イオンプレーティング法等の物理的気相成長法、ＣＶＤ（Chemical Vapor Deposition）法などの化学的気相成長法、等の気相成長法、或いは塗工法などである。
金属性反射層の厚みは一般に５００ｎｍでも充分な遮光性を確保することが可能であり、遮光性の点では１μｍも必要はない。この為、金属性反射層の厚みは、通常１０〜３００ｎｍ程度で形成することができる。
【００８２】
金属性反射層は、光反射性それも金属性反射を示すことから、通常、導電性である。よって、裏打ち層２ｂとして金属性反射層を遮光層２の構成層のうち最も透光性基板１から遠い側つまり裏側に設け、且つ遮光層２の面上に配線や透明電極などの導体を設ける場合は、金属性反射層の面上に絶縁層３を設けるのが好ましい。また、金属性反射層の側面に導体が接する場合は、側面も含めて金属性反射層の表面を被覆するように絶縁層３を設けるのが好ましい（後述図８参照）。
これは、不透明領域Ａ２の遮光層２上に、後から、例えば、配線や透明電極の導体を設けて、タッチパネル機能の一部又は全部を一体化するときに、金属性反射層の部分の面を、配線や透明電極などの導体を短絡させずに、表示装置用前面保護板１０を絶縁性回路基板として利用できるようにするためである。ただ、本発明においては、金属性反射層が非導電性であることを排除するものではない。
【００８３】
（メタリック樹脂層）
本発明においては、反射層には、金属性反射層に類似の樹脂層として、金属材料が粒子として透明樹脂バインダ中に分散されたメタリック樹脂層を用いることもできる。ただし、メタリック樹脂層は遮光性の点では金属層に比べて劣ることが多く、遮光性を出すためには厚みが厚くなりがちである。このため、厚みが許容されるならば、金属性反射層としてメタリック樹脂層を用いることもできる。
金属材料の粒子を構成する金属材料としては、金属性反射を示すものであれば特に制限はなく、例えば、アルミニウム、金、銀、銅、錫、クロム、ニッケルなどの金属及びこれらの合金を用いることができる。
透明樹脂バインダの樹脂としては、例えば、アクリル系樹脂、エポキシ系樹脂、ポリエステル系樹脂、ポリイミド系樹脂などを用いることができる。
メタリック樹脂層は、金属材料の粒子、透明樹脂バインダ、及び溶剤などを含む液状の樹脂組成物からなるインクによって、印刷法などで、溶剤を乾燥除去した固化物として形成することができる。
【００８４】
〔絶縁層３〕
本実施形態においては、絶縁層３は設けないが、本発明においては、絶縁層３を設けてもよい。すなわち、遮光層２の最表面が、裏打ち層２ｂとして設けた金属性反射層などによって導電性を示す場合、この遮光層２の最表面に接して、配線や透明電極などの導体がさらに形成されることが予想されるときは、図４に例示する表示装置用前面保護板１０のように、導体が絶縁層３を介して形成されるように、遮光層２の面上に絶縁層３を形成しておくとよい。絶縁層３によって、互いに独立な導体同士がショートするのを防ぐことができる。
【００８５】
また、絶縁層３は、金属材料を用いた金属性反射層の酸化などによる劣化を防ぐ保護層として機能させることもできる。したがって、最表面が導電性を示す遮光層２に接して導体が形成されない場合でも、最表面が金属性反射層のように酸化による劣化が予想されるときは、絶縁層３を遮光層２の面上に保護層として設けることが好ましい。
なお、図４は模式的な図面であり、絶縁層３は裏打ち層２ｂを含む遮光層２の面上のみに形成され、遮光層２の側面までは被覆していないように描いてあるが、側面で導電性を示す層部分と導体とが接触する可能性があるとき、或いは側面での酸化劣化などが予想されるときは、いうまでもなく、絶縁層３は側面も含めて遮光層２を被覆するのが好ましい。
【００８６】
絶縁層３は不透明領域Ａ２にのみ形成されるときは不透明でも透明でもよい。絶縁層３が透明層として形成されるときは、絶縁層３は、不透明領域Ａ２以外に、表示用領域Ａ１も含めて形成することもできる。
【００８７】
絶縁層３には、耐熱性の点で硬化性樹脂が好ましく、例えば、エポキシ系樹脂、アクリル系樹脂、ポリイミド系樹脂などを用いることができ、具体例を挙げれば、熱硬化性のエポキシ樹脂などを用いることができる。
絶縁層３には、酸化ケイ素などのケイ素酸化物、酸化クロムなどの金属酸化物、或いは、金属窒化物、金属炭化物など無機材料を用いることもできる。
絶縁層３の形成は、公知の方法によればよく、例えば、絶縁層３は、上記のような樹脂系の感光性樹脂を用いることで、フォトリソグラフィ法によって、遮光層２を被覆するようにパターン形成することができる。
絶縁層３の厚みは、絶縁性などを考慮して、例えば０．１〜１０μｍ、通常０．５〜５μｍである。
【００８８】
〔製造方法〕
本実施形態の表示装置用前面保護板１０を構成する各層は、例えば、次の様にして形成される。先ず、透光性基板１の第２面Ｓ２の不透明領域Ａ２とする領域に、遮光層２として、白色系樹脂層２ｗと、色調整層２ａと、裏打ち層２ｂとをこの順にパターン形成する。白色系樹脂層２ｗ、色調整層２ａ及び裏打ち層２ｂの各パターンは同一である。こうして、表示装置用前面保護板１０が製造される。
なお、本実施形態においては、より厳密には、色調整層２ａは白色系樹脂層２ｗの側面も被覆するようにパターン形成し、裏打ち層２ｂは色調整層２ａの側面は被覆せずに白色系樹脂層２ｗの面上を被覆するようにパターン形成してある。
【００８９】
《第２の実施形態：タッチパネル機能の一体化》
図５、図６及び図７を参照して、本発明による表示装置用前面保護板１０の第２の実施形態例を説明する。
【００９０】
本実施形態は、図１に示した第１の実施形態に対して、次の点が異なる以外は、同じである。よって、同じ部分の説明は省略する。
ａ）タッチパネル用の透明電極４及び配線６が設けられている点。
【００９１】
〔タッチパネル機能の一体化〕
本発明においては、表示装置用前面保護板１０は、タッチパネル機能の一部又は全部を一体化してもよい。例えば、タッチパネル用の透明電極４及び配線６をさらに設けて、透光性基板１をタッチパネル用基板と兼用してもよい。タッチパネル機能との一体化は、タッチパネルとして必要な機能の一部を一体化する形態でも、その分での部品点数の低減、薄型化の効果は得られるが、タッチパネルとしての必要な機能の全部を一体化するのが、より好ましい。
【００９２】
タッチパネルとして必要な機能の一部又は全部を一体化した表示装置用前面保護板１０は、「タッチパネル一体型表示装置用前面保護板」と言うこともできる。タッチパネルとして必要な機能の全部を一体化した表示装置用前面保護板１０は、タッチパネルと言うこともできる。タッチパネルとして必要な機能の一部を一体化した表示装置用前面保護板１０は、タッチパネル構成部材と言うこともできる。
タッチパネル用の透明電極４を一体化する場合、その位置検知方式は各種知られているが、透明電極４が２層となり得る位置検知方式では、このうちの少なくとも１層を、より好ましくは２層を一体化するのが望ましい。
【００９３】
本実施形態では、タッチパネル機能の一体化の例として、透明電極４が静電容量方式に適用可能な形態例である。
図５は本実施形態における表示装置用前面保護板１０の平面図、図６はその部分拡大断面図、図７は透明電極４の交差部を示す断面図である。
【００９４】
〔透明電極４〕
図５は、とくに透明電極４のパターンを示す平面図である。
透明電極４は、本実施形態においては、互いに絶縁されて形成される第１透明電極４ａ及び第２透明電極４ｂから構成される。
第１透明電極４ａ、第２透明電極４ｂは、本実施形態においては同じ材料で形成してある。よって、本明細書において、これらを纏めて言うときは、単に「透明電極４」とも呼ぶ。
【００９５】
本実施形態では、タッチパネルの位置検知用の透明電極４として、第１透明電極４ａと、第２透明電極４ｂとを、ともに同一の面上に形成するタッチパネル構造を採用している。すなわち、第１透明電極４ａ及び第２透明電極４ｂは、透光性基板１の同一の面である第２面Ｓ２の面上に形成される。
第１透明電極４ａ及び第２透明電極４ｂのパターンは、投影型静電容量方式では各種パターンが知られており、特に限定はない。典型的には、複数の第１透明電極４ａが、第１の方向に延びて、この第１の方向に交差する方向、通常は直交する方向を第２の方向として、第２透明電極４ｂが第２の方向に延びたパターンとなっている。また、本実施形態においても、図５の平面図で示すように、同様である。
【００９６】
図７（ａ）は、第１透明電極４ａと第２透明電極４ｂとの交差部分を示す平面図であり、図７（ｂ）は図７（ａ）中、Ｃ−Ｃ線での断面図である。
第１透明電極４ａと第２透明電極４ｂとの交差部分は、互いに層間絶縁層５によって絶縁されている。層間絶縁層５は、少なくとも第１透明電極４ａと第２透明電極４ｂとの交差部分に必要となる。
第１透明電極４ａと第２透明電極４ｂとのうち一方の電極のみ、同図の場合は具体的には第１透明電極４ａのみ、他方の電極との交差部分が欠損したパターンで同一の面に同時に形成した後、交差部分のみ層間絶縁層５を形成し、この後、層間絶縁層５を跨いで、欠損部分を電気的に接続する接続部４ａＣが透明電極４ａの一部として形成されている。
【００９７】
図６（ａ）の断面図で言えば、前記交差部分は、透光性基板１に近い側の透明電極４が、第１透明電極４ａであるので、第１透明電極４ａが形成され後の交差部分に対して層間絶縁層５が形成され、交差部分を跨いで接続部４ａＣが形成されて第２透明電極４ｂが完成する。
【００９８】
そして、第１透明電極４ａ及び第２透明電極４ｂからなる透明電極４は、中央の表示用領域Ａ１内の位置検知領域から不透明領域Ａ２の遮光層２に重なる部分まで延びて配線６に電気的に接続されている。
【００９９】
透明電極４には、公知の材料及び形成法を採用することができる。
本実施形態においては、透明電極４には、層自体が透明である透明導電体膜が用いられる。透明導電体膜からなる透明電極４としては、例えば、ＩＴＯ（Ｉｎｄｉｕｍ  Ｔｉｎ  Ｏｘｉｄｅ；インジウム錫酸化物）、ＩｎＺｎＯ（Ｉｎｄｉｕｍ  Ｚｉｎｃ  Ｏｘｉｄｅ；インジウム亜鉛酸化物）、ＡｌＺｎＯ（Ａｌｕｍｉｎｕｍ  Ｚｉｎｃ  Ｏｘｉｄｅ；アルミニウム亜鉛酸化物）、ＩｎＧａＺｎＯ（Ｉｎｄｉｕｍ  Ｇａｒｉｕｍ  Ｚｉｎｃ  Ｏｘｉｄｅ；インジウムガリウム亜鉛酸化物）等の透明導電体膜をパターン形成したものを用いることができる。
【０１００】
〔層間絶縁層５〕
層間絶縁層５には、公知の材料及び形成法を採用することができる。例えば、層間絶縁層５に樹脂を用いる場合には、エポキシ系樹脂、アクリル系樹脂、ポリイミド系樹脂などを用いることができ、具体例を挙げれば、例えば、これらの樹脂系の感光性樹脂などを用いることができる。感光性樹脂の場合は、フォトリソグラフィ法を利用して形成することができる。また、層間絶縁層５には、酸化ケイ素などの無機材料を用いることもできる。
【０１０１】
〔配線６〕
配線６には、公知の材料及び形成法を採用することができる。例えば、配線６には、銀、金、銅、クロム、プラチナ、アルミニウム、パラジウム、モリブデンなどの金属（含むその合金）などを用いることができる。配線６は、例えば、銀、パラジウム及び銅からなる銀合金（ＡＰＣとも言う）の金属層としてスパッタ法により製膜後、フォトリソグラフィ法及びエッチング法によりパターン形成することができる。
配線６には、モリブデン（Ｍｏ）／アルミニウム（Ａｌ）／モリブデン（Ｍｏ）と３層積層構造の導電性層（ＭＡＭと呼ばれている）を用いることもできる。
本実施形態においては、配線６は、銀、パラジウム及び銅からなる銀合金（ＡＰＣとも言う）によって、金属層としてフォトリソグラフィ法及びエッチング法を利用して形成されている。
本発明においては、配線６の形成法としては、特に制限はなく、スクリーン印刷法、インクジェット印刷法などの印刷法によって形成してもよい。
【０１０２】
〔製造方法〕
本実施形態の表示装置用前面保護板１０を構成する各層は、例えば、次の様にして形成される。先ず、透光性基板１の第２面Ｓ２の不透明領域Ａ２とする領域に、遮光層２して、白色系樹脂層２ｗと、色調整層２ａと、裏打ち層２ｂとをこの順にパターン形成する。次に、不透明領域Ａ２である遮光層２の部分に、配線６をパターン形成する。次に、表示用領域Ａ１から不透明領域Ａ２にかけて透光性基板１の面上及び遮光層２の面上に、透明電極４をパターン形成する。このとき、透明電極４は、遮光層２の面上に形成された配線６上に接して形成されるようにパターン形成する。次に、透明電極４の交差部分には層間絶縁層５をパターン形成し、この層間絶縁層５を跨いで、透明電極４の欠損部分をパターン形成して接続部４ａＣを形成して透明電極４の全体を完成させる。こうして、タッチパネル機能を一体化した表示装置用前面保護板１０が製造される。
【０１０３】
〔本実施形態における効果〕
以上のような構成の表示装置用前面保護板１０とすることで、不透明領域Ａ２の遮光層２によって多様な色の白色系の色意匠を安定的に表現でき、しかも多様な色の白色系の色意匠のものを効率よく製造できるようにすることができる。
さらにタッチパネル機能が一体化しているので、部品点数が減り組み立て工数が少なくなり、低コストなものとできる。
【０１０４】
《変形形態》
本発明の表示装置用前面保護板１０は、上記した形態以外のその他の形態をとり得る。以下、その一部を説明する。
【０１０５】
〔オーバーコート層７〕
本発明においては、例えば、図８に例示する変形形態の表示装置用前面保護板１０のように、透明電極４の面上などにオーバーコート層７が形成されていてもよい。同図に例示する表示装置用前面保護板１０は、図６の構成に対して、オーバーコート層７が、透光性基板１の第２面Ｓ２の面上の最表層として、表示用領域Ａ１及び不透明領域Ａ２の全面に形成されている例である。また、同図に例示する表示装置用前面保護板１０は、図６の構成に対して、オーバーコート層７としてオーバーコート層７ａが、遮光層２の側面も含めて遮光層２の全面を被覆するように主に不透明領域Ａ２に形成されている例である。このオーバーコート層７ａは絶縁性であるとき絶縁層３と言うこともできる。
【０１０６】
透明電極４或いは配線６に接して形成されるオーバーコート層７は絶縁性とする。配線６上に形成されるオーバーコート層７は、配線６がフレキシブルプリント配線基板（ＦＰＣ）を介して制御回路に接続する部分は形成せず、配線６を露出させておく。
オーバーコート層７によって、絶縁性、耐傷付き性などを向上させることができる。
【０１０７】
オーバーコート層７には、公知の材料及び形成法を採用することができる。オーバーコート層７には、透明な樹脂、それも耐熱性の点で硬化性樹脂が好ましく、例えば、エポキシ系樹脂、アクリル系樹脂、ポリイミド系樹脂などを用いることができ、具体例を挙げれば、熱硬化性のエポキシ樹脂などを用いることができる。また、硬化性樹脂としては、紫外線などで硬化する感光性樹脂などを用いることもできる。感光性樹脂の場合は、部分形成するときにフォトリソグラフィ法を利用することができる。部分形成しないときは、オーバーコート層７は、塗工法で形成することができる。
【０１０８】
本発明においては、オーバーコート層７は、要求仕様などに応じて、不透明領域Ａ２及び表示用領域Ａ１を含む透光性基板１の全面に設けられていてもよいし、全面に設けられていなくてもよい。
【０１０９】
〔透明電極４：導電性メッシュ〕
前記した実施形態では、透明電極４は層自体が透明な透明導電体膜によって形成されていた。
しかし、本発明においては、透明電極４は層自体が不透明な導体が、メッシュ状に形成されることで、見かけ上あたかも透明であるようにした導電性メッシュによって形成されていてもよい。導電性メッシュのメッシュパターンを構成する線の線幅は、不可視性の観点から好ましくは３０μｍ以下、より好ましくは１０μｍ以下である。
【０１１０】
導電性メッシュのメッシュパターン形状は、特に制限はない。例えば、メッシュパターン形状は、正方格子形状、三角格子形状、六角格子形状（ハニカム形状）、レンガ積み形状などである。
【０１１１】
不透明な導体には、例えば、前記配線６で列記した材料を用いることができる。不透明な導体には、例えば、銀、金、銅、クロム、プラチナ、アルミニウム、パラジウム、モリブデンなどの金属（含むその合金）などを用いることができる。例えば、銀、パラジウム及び銅からなる合金（ＡＰＣとも言う）の金属層としてスパッタ法により製膜後、フォトリソグラフィ及びエッチング法によりパターン形成したものを用いることができる。
不透明な導体には、モリブデン（Ｍｏ）／アルミニウム（Ａｌ）／モリブデン（Ｍｏ）と３層積層構造の導電性層（ＭＡＭと呼ばれている）を用いることもできる。
【０１１２】
導電性メッシュを構成する不透明な導体として、配線６と同じ材料を用いることができることを活かして、透明電極４に導電性メッシュを用いるとき、この透明電極４と配線６とを同一材料で形成してもよい。もちろん、透明電極４と配線６とを異なる材料で形成してもよい。
透明電極４と配線６とを同一材料で形成することで、同時形成することも可能となる。
例えば、導電性メッシュによる透明電極４と配線６とを、銀、パラジウム及び銅からなる合金（ＡＰＣとも言う）の金属層によって形成することができる。
透明電極４と配線６とを同一材料で同時形成することで、工程数を減らして低コストなものとすることができる。
【０１１３】
〔透明電極４及び配線６の用途〕
前記実施形態においては、透明電極４及び配線６の用途はタッチパネルであった。
透明電極４をタッチパネル用とする形態においては、タッチパネルの位置検知方式として、透明電極４が互いに異なる面に２層になる位置検知方式では、このうちの少なくとも１層を設ける形態もあり得る。
透明電極４がタッチパネル用のときその位置検知方式は、抵抗膜方式など、投影型静電容量方式以外の方式のものであってもよい。
【０１１４】
本発明においては、電極付き表示装置用前面保護板１０は、タッチパネル機能を一体化した形成とする場合、タッチパネル機能として、前記透明電極４及び配線６以外に、さらにその他の、例えば、コネクタ、制御回路なとのタッチパネル機能の一部、さらには全部が一体化されたものであってもよい。
【０１１５】
〔不透明領域Ａ２：可視情報８〕
本発明においては、図１（ａ）にて点線で示すように、不透明領域Ａ２の部分に、可視情報８が形成されていてもよい。可視情報８は、不透明領域Ａ２の領域内において、製品ロゴマーク、操作説明用の文字や記号、模様などの任意の目視可能な情報である。可視情報８には、公知の材料及び形成法を採用することができる。
例えば、可視情報８は、着色顔料を含む感光性樹脂の硬化物層として着色樹脂層をフォトリソグラフィ法などによってパターン形成することができる。また、可視情報８は、図示はしないが、前記したように、白色系樹脂層２ｗの裏側に設ける色調整層２ａの非形成部のパターンとして、或いは裏打ち層２ｂのパターンとして設けることもできる。
【０１１６】
〔不透明領域Ａ２：窓〕
本発明においては、図示はしないが、不透明領域Ａ２の部分に、通知窓、赤外透過窓などが形成されていてもよい。
【０１１７】
通知窓は、例えば、電極付き表示装置用前面保護板１０を適用する表示装置が携帯電話の場合で言えば、着信や電池の充電状態などの各種動作状態を、光の点滅、点灯、及び色などにより、使用者に通知する部分である。通知窓には、公知の構成、材料及び形成法を採用することができる。
通知窓は、図示はしないが、例えば、遮光層２の非形成部として設けることができる。
【０１１８】
赤外透過窓は、表示装置用前面保護板１０を適用する表示装置が携帯電話の場合で言えば、通話時に携帯電話を耳にあてがったときに、タッチパネルの誤作動を防ぐ必要から、また、表示パネルの表示を消して電池寿命を長くする観点などから、人肌の接近を感知する人感センサとして設ける赤外線センサの前方の部分に設けられる。赤外透過窓は、可視光に対しては遮光性を示すと共に赤外光に対しては透過性を示す。赤外透過窓には、公知の構成、材料及び形成法を採用することができる。
赤外透過窓は、図示はしないが、例えば、遮光層２の非形成部として設けることができる。
【０１１９】
〔Ｃ〕表示装置：
本発明による表示装置は、表示パネルと、この表示パネルからの表示光が出光する側である表側に配置された上記表示装置用前面保護板１０と、を少なくとも備えた表示装置である。
表示装置用前面保護板１０がタッチパネル機能の一部又は全部を備えたものとして構成されるときは、本表示装置はタッチパネル機能を有するものとできる。
表示装置用前面保護板１０がタッチパネル機能は備えていないが、別の構成部品としてタッチパネルを備えた構成とするときは、本表示装置はタッチパネル機能を有するものとできる。
表示装置用前面保護板１０がタッチパネル機能の一部を備えたものとして構成されるときは、不足するタッチパネル機能を別構成部品として備えた構成とすることで、本表示装置はタッチパネル機能を有するものとする。
【０１２０】
《第１の実施形態：タッチパネル機能を一体化した表示装置用前面保護板：その１》
図９は、本発明による表示装置の実施形態例であり、同図に示す表示装置１００は、図面上方の観察者Ｖ側の表側から順に、表示装置用前面保護板１０、表示パネル３０を備えている。
【０１２１】
〔表示装置用前面保護板１０〕
本実施形態での表示装置用前面保護板１０は、タッチパネル機能を一体化した構成のものが用いられる。
表示装置用前面保護板１０は、前述した本発明による表示装置用前面保護板１０である。より具体的に、この表示装置用前面保護板１０はタッチパネル機能として、さらに配線６と、透明電極４とを有し、この透明電極４として、図示はしないが、図５、図６及び図７で例示した表示装置用前面保護板１０のように第１透明電極４ａと第２透明電極４ｂとを有する形態のものである。
本実施形態での表示装置用前面保護板１０は、例えば、前記した第２の実施形態の表示装置用前面保護板１０である。なお、本実施形態においては、さらに、タッチパネルとして機能するための制御回路など、その他の構成要素を備えることができる。
【０１２２】
したがって、表示装置用前面保護板１０は、タッチパネル用の透明電極４及び配線６以外に、さらに制御回路、この制御回路と配線６を電気的に接続するコネクタなどのタッチパネル機能の全部が一体化されたものとしてもよい。もちろん、この場合、タッチパネルの機能の全部が一体化された表示装置用前面保護板１０を用いる場合は、独立したタッチパネル２０は備える必要はなく、表示装置用前面保護板１０と、表示パネル３０とを少なくとも備えた構成の表示装置となる。この形態では、表示パネル３０の外周部の配線、コネクタ、制御回路などを隠せることになる。
【０１２３】
〔表示パネル３０〕
表示パネル３０は、液晶表示パネル、電界発光（ＥＬ）パネルが代表的であるが、この他、電子ペーパーパネル、ブラウン管でもよく、公知の各種表示パネルでよい。
【０１２４】
〔本実施形態における効果〕
以上のような構成の表示装置１００とすることで、その表示装置用前面保護板１０において、不透明領域Ａ２の遮光層２によって多様な色の白色系の色意匠を安定的に表現でき、しかも多様な色の白色系の色意匠のものを効率よく製造できるものとすることができる。
さらにタッチパネル機能が一体化しているので、部品点数が減り組み立て工数が少なくなり、低コストなものとできる。
【０１２５】
《第２の実施形態：タッチパネル機能を一体化した表示装置用前面保護板：その２》
図１０に示す第２の実施形態の表示装置１００は、図面上方の観察者Ｖ側の表側から順に、表示装置用前面保護板１０、タッチパネル構成部材２０ａ、表示パネル３０を備えている。
【０１２６】
図９で例示した第１の実施形態による表示装置１００では、表示装置用前面保護板１０はタッチパネル機能の一部として、配線６と、透明電極４の第１透明電極４ａ及び第２透明電極４ｂの両方を備えることで、タッチパネル機能が一体化している形態であった。
本実施形態は、透明電極４の第１透明電極４ａ及び第２透明電極４ｂのうち片方を表示装置用前面保護板１０が備え、他方は別体の基板が備える形態である。
【０１２７】
図１０に例示するように、本実施形態による表示装置１００は、表示装置用前面保護板１０が透明電極４ａを備え、別の基板としてのタッチパネル構成部材２０ａが透明電極４ｂを備える。
互いに絶縁される第１透明電極４ａと第２透明電極４ｂとの２層を必要とする形態では、第１透明電極４ａ及び第２透明電極４ｂからなる透明電極４によるタッチパネルの位置検知方式は、投影型静電容量方式でもよいが、投影型静電容量方式以外のものでもよい。
【０１２８】
どのような構成で表示装置用前面保護板１０とタッチパネル機能とを一体化するかは、使用し得る製造設備、組立工程などの諸条件に適した、構成を選べばよい。
【０１２９】
なお、表示パネル３０は、上記表示装置１００としての第１の実施形態と同様であるので、説明は省略する。
【０１３０】
〔本実施形態における効果〕
以上のような構成の表示装置１００とすることで、その表示装置用前面保護板１０において、不透明領域Ａ２の遮光層２によって多様な色の白色系の色意匠を安定的に表現でき、しかも多様な色の白色系の色意匠のものを効率よく製造できるものとすることができる。
さらにタッチパネル機能が一体化しているので、部品点数が減り組み立て工数が少なくなり、低コストなものとできる。
【０１３１】
《第３の実施形態：タッチパネル機能は一体化しない表示装置用前面保護板》
本実施形態は、表示装置用前面保護板１０が、タッチパネル用の透明電極４及び配線６を備えていない構成であり、タッチパネル機能が一体化されていない構成である。
図１１に示す本実施形態の表示装置１００は、図面上方の観察者Ｖ側の表側から順に、表示装置用前面保護板１０、タッチパネル２０、表示パネル３０を備え、さらに、表示装置用前面保護板１０とタッチパネル１０との間は、樹脂層１５で埋め尽くされている。
【０１３２】
図１１に例示するように、本実施形態による表示装置１００は、表示装置用前面保護板１０と、タッチパネル２０と、表示パネル３０とを備える。
タッチパネル２０には、模式的に、透明電極４と配線６とを図示してある。
表示パネル３０は、上記表示装置１００における第１の実施形態と同様であるので、説明は省略する。
【０１３３】
〔表示装置用前面保護板１０〕
本実施形態での表示装置用前面保護板１０は、タッチパネル機能は備えていない構成のものが用いられる。例えば、前記した表示装置用前面保護板１０としての第１の実施形態のものである。
図示はしないが、表示装置用前面保護板１０は、不透明領域Ａ２に配線６を備えることもできる。このように表示装置用前面保護板１０が配線６も備える構成の場合には、配線６は、タッチパネル用ではなく、例えばセンサ接続用などとして用いることができる。
【０１３４】
〔タッチパネル２０〕
タッチパネル２０は、典型的には、マルチタッチ（多点同時入力）が可能な投影型静電容量方式のタッチパネルであるが、この他、基板として透光性基板１が用いられる表示装置用前面保護板１０に対応可能な方式であれば、表面型静電容量方式、電磁誘導方式、光学方式など、透明電極を必要としない位置検知方式も含めた公知の各種位置検知方式のタッチパネルのいずれでもよい。
タッチパネル２０は、中央の位置検知領域の外周部に、配線、制御回路、これらを電気的に接続するコネクタなどの何らかの不透明な構成要素を有する。これらの不透明な構成要素は、表示装置用前面保護板１０の不透明領域Ａ２の遮光層２に平面視において重なり、隠れる位置となるような、タッチパネル２０と表示装置用前面保護板１０との位置関係となっている。このため、これら配線などの不透明な構成要素が、表示装置１００の外観を損なわない様にすることができる。
【０１３５】
〔樹脂層１５〕
樹脂層１５は透明な層であり、粘着シート、塗布した樹脂液の固化層などを用いることができる。粘着シートとしては、アクリル系粘着剤、ポリエステル系粘着剤、エポキシ系粘着剤、シリコーン系粘着剤などからなるものを用いることができる。樹脂液としては、アクリル系光硬化性樹脂などを用いることができる。
樹脂層１５によって部材表面での光反射が減ることで、表示をより見易くすることができる。
【０１３６】
〔本実施形態における効果〕
以上のような構成の表示装置１００とすることで、その表示装置用前面保護板１０において、不透明領域Ａ２の遮光層２によって多様な色の白色系の色意匠を安定的に表現でき、しかも多様な色の白色系の色意匠のものを効率よく製造できるものとすることができる。
さらにタッチパネル機能が樹脂層１５により積層一体化しているので、部品点数が減り組み立て工数が少なくなり、低コストなものとできる。
【０１３７】
《表示装置としての変形形態》
本発明の表示装置１００は、上記した形態以外のその他の形態をとり得る。以下、その一部を説明する。
【０１３８】
〔タッチパネルを備えない形態〕
上記各実施形態における表示装置１００は、いずれもタッチパネル機能を有する構成であったが、本発明においては、表示装置１００は、タッチパネル２０を備えないなどタッチパネル機能を備えていない構成であってもよい。
表示装置１００に組み込まれる、タッチパネル機能を備えていない表示装置用前面保護板１０による効果を享受することができる。すなわち、その表示装置用前面保護板１０において、不透明領域Ａ２の遮光層２によって多様な色の白色系の色意匠を安定的に表現でき、しかも多様な色の白色系の色意匠のものを効率よく製造できるものとすることができる。
【０１３９】
〔樹脂層の介在〕
図９及び図１０で例示した実施形態による表示装置１００では、表示装置用前面保護板１０と表示パネル３０との間は、空隙を有し空気層が存在する構造となっているが、本発明においては、表示装置用前面保護板１０と表示パネル３０との間など、構成部材の間は、図１１で例示した第３の実施形態で説明したように、粘着剤層など樹脂層１５で埋め尽くしてもよい。樹脂層１５によって部材表面での光反射が減ることで、表示をより見易くすることができる。
【０１４０】
〔Ｄ〕用途：
本発明による表示装置用前面保護板１０、及び表示装置１００の用途は、特に限定されない。例えば、スマートフォンなどの携帯電話、タブレットＰＣなどの携帯情報端末、パーソナルコンピュータ、カーナビゲーション装置、デジタルカメラ、電子書籍端末、電子手帳、ゲーム機器、自動券売機、ＡＴＭ端末、ＰＯＳ端末、自販機などである。
【符号の説明】
【０１４１】
１    透光性基板
２    遮光層
２ａ  色調整層
２ｂ  裏打ち層
２ｗ  白色系樹脂層
３    絶縁層
４    透明電極
４ａ  第１透明電極
４ａＣ  接続部
４ｂ  第２透明電極
５    層間絶縁層
６    配線
７，７ａ  オーバーコート層
８    可視情報
１０    表示装置用前面保護板
１５    樹脂層
２０    タッチパネル
２０ａ  タッチパネル構成部材
３０    表示パネル
４０    （従来の）表示装置用前面保護板
４１    透光性基板
４２    遮光層
１００    表示装置
２００    （従来の）表示装置
Ａ１    表示用領域
Ａ２    不透明領域
Ｓ１    第１面
Ｓ２    第２面
Ｖ      観察者
【図１】
2015014733.tif 000003
【図２】
2015014733.tif 000004
【図３】
2015014733.tif 000005
【図４】
2015014733.tif 000006
【図５】
2015014733.tif 000007
【図６】
2015014733.tif 000008
【図７】
2015014733.tif 000009
【図８】
2015014733.tif 000010
【図９】
2015014733.tif 000011
【図１０】
2015014733.tif 000012
【図１１】
2015014733.tif 000013
【図１２】
2015014733.tif 000014